(57)【要約】      （修正有）【課題】流水を利用して安定的に発電することができる風力発電装置を提供する。【解決手段】河川や用水路などの流水部５０の近傍に設けられる筒状本体１を有し、この筒状本体１内には風車部２が設けられ、また、筒状本体１には風車部２の回転により発電する発電部３が設けられ、更に、流水部５０には流水部５０内の流水を受けて回転する水車部４が設けられ、この水車部４の回転力を駆動力として風車部２に送風し風車部２を回転させる送風部５が設けられたものである。【選択図】図１
0003199218.tif 000002
【実用新案登録請求の範囲】
【請求項１】
河川や用水路などの流水部の近傍に設けられる筒状本体を有し、この筒状本体内には風車部が設けられ、また、前記筒状本体には前記風車部の回転により発電する発電部が設けられ、更に、前記流水部には該流水部内の流水を受けて回転する水車部が設けられ、この水車部の回転力を駆動力として前記風車部に送風し該風車部を回転させる送風部が設けられていることを特徴とする風力発電装置。
【請求項２】
請求項１記載の風力発電装置において、前記水車部は、前記筒状本体に設けられた可動アーム部の下端部に設けられ前記流水部の流水に浮いて回転する構成であることを特徴とする風力発電装置。
【請求項３】
請求項１，２いずれか１項に記載の風力発電装置において、前記筒状本体は、前記流水部の上方位置に設けられていることを特徴とする風力発電装置。
【請求項４】
請求項１〜３いずれか１項に記載の風力発電装置において、前記流水部は、底部の左右に側壁部を設けたＵ字溝構造であり、前記筒状本体は前記流水部の側壁部間にして該側壁部の上方位置に設けられることを特徴とする風力発電装置。
【請求項５】
請求項１〜４いずれか１項に記載の風力発電装置において、前記風車部は、風車回転軸に風車羽根部材が設けられ、前記水車部は、水車回転軸に水車羽根部材が設けられ、前記送風部は、送風回転軸に送風羽根部材が設けられたものであることを特徴とする風力発電装置。
【請求項６】
請求項５記載の風力発電装置において、前記送風部の送風回転軸は、前記水車部の水車回転軸と回転力伝達機構を介して連設されていることを特徴とする風力発電装置。
【考案の詳細な説明】
【技術分野】
【０００１】
本考案は、風力発電装置に関するものである。
【背景技術】
【０００２】
従来から、風力を利用して発電する風力発電装置として、例えば特開２００３−２７８６３５号に開示される風力発電装置（以下、従来例という。）が提案されている。
【０００３】
この従来例は、筒状本体（通称：風洞）内に風車を設け、この筒状本体内を通過する風を受けて風車が回転することで発電部が発電する構造であり、筒状本体で風の流れを増速して風車を効率よく回転させる構造である。
【０００４】
従って、従来例は、風が弱い状況においても風車を強く回転させて良好に発電することができる。
【先行技術文献】
【特許文献】
【０００５】
【特許文献１】特開２００３−２７８６３５号公報
【考案の概要】
【考案が解決しようとする課題】
【０００６】
本考案者は、前述した筒状本体内に風車を設けた構造の風力発電装置について更なる研究・開発を進め、その結果、従来にない作用効果を発揮する画期的な風力発電装置を開発した。
【課題を解決するための手段】
【０００７】
添付図面を参照して本考案の要旨を説明する。
【０００８】
河川や用水路などの流水部50の近傍に設けられる筒状本体１を有し、この筒状本体１内には風車部２が設けられ、また、前記筒状本体１には前記風車部２の回転により発電する発電部３が設けられ、更に、前記流水部50には該流水部50内の流水を受けて回転する水車部４が設けられ、この水車部４の回転力を駆動力として前記風車部２に送風し該風車部２を回転させる送風部５が設けられていることを特徴とする風力発電装置に係るものである。
【０００９】
また、請求項１記載の風力発電装置において、前記水車部４は、前記筒状本体１に設けられた可動アーム部６の下端部に設けられ前記流水部50の流水に浮いて回転する構成であることを特徴とする風力発電装置に係るものである。
【００１０】
また、請求項１，２いずれか１項に記載の風力発電装置において、前記筒状本体１は、前記流水部50の上方位置に設けられていることを特徴とする風力発電装置に係るものである。
【００１１】
また、請求項１〜３いずれか１項に記載の風力発電装置において、前記流水部50は、底部50ａの左右に側壁部50ｂを設けたＵ字溝構造であり、前記筒状本体１は前記流水部50の側壁部50ｂ間にして該側壁部50ｂの上方位置に設けられることを特徴とする風力発電装置に係るものである。
【００１２】
また、請求項１〜４いずれか１項に記載の風力発電装置において、前記風車部２は、風車回転軸２ａに風車羽根部材２ｂが設けられ、前記水車部４は、水車回転軸４ａに水車羽根部材４ｂが設けられ、前記送風部５は、送風回転軸５ａに送風羽根部材５ｂが設けられたものであることを特徴とする風力発電装置に係るものである。
【００１３】
また、請求項５記載の風力発電装置において、前記送風部５の送風回転軸５ａは、前記水車部４の水車回転軸４ａと回転力伝達機構８を介して連設されていることを特徴とする風力発電装置に係るものである。
【考案の効果】
【００１４】
本考案は上述のように構成したから、前述した従来例に比し、流水を利用して筒状本体内に風を発生させて安定的に発電することができるなど、従来にない作用効果を発揮する画期的な風力発電装置となる。
【図面の簡単な説明】
【００１５】
【図１】本実施例を説明する斜視図である。
【図２】本実施例の要部の動作説明図である。
【図３】本実施例の要部の動作説明図である。
【考案を実施するための形態】
【００１６】
好適と考える本考案の実施形態を、図面に基づいて本考案の作用を示して簡単に説明する。
【００１７】
流水部50の流水を受けて水車部４が回転し、この水車部４の回転力を駆動力として送風部５から風が発生する。
【００１８】
この送風部５から送られる風を受けて風車部２が回転し、この風車部２が回転することにより発電部３で発電される。
【００１９】
従って、流水を利用して筒状本体１内に風を発生させて安定的に発電することができる。
【実施例】
【００２０】
本考案の具体的な実施例について図面に基づいて説明する。
【００２１】
本実施例は、河川や用水路などの流水部50の近傍に設けられる筒状本体１を有し、この筒状本体１内には風車部２が設けられ、また、筒状本体１には風車部２の回転により発電する発電部３が設けられ、更に、流水部50には該流水部50内の流水を受けて回転する水車部４が設けられ、この水車部４の回転力を駆動力として風車部２に送風し該風車部２を回転させる送風部５が設けられていることを特徴とする風力発電装置である。尚、本実施例の流水部50は傾斜底部50ａの左右に側壁部50ｂを設けたＵ字溝構造（用水路）であるが、流水のある領域であれば河川や湖や海でも良い。
【００２２】
以下、本実施例に係る構成各部について詳細な説明をする。
【００２３】
筒状本体１は、図１〜３に図示したように適宜な金属製の部材で形成された角筒状本体であり、底板部１ａ，左右側板部１ｂ及び天板部１ｃとから成り、流水部50のサイズに合わせた寸法（本実施例では高さ及び巾は約９０ｃｍ、長さは約１８０ｃｍ）に設定されている。尚、筒状本体１は円筒状でも良く、また、素材は合成樹脂製でも木製でも良く、また、枠材にシート材を架設したトンネルのような構造でも良い。
【００２４】
また、筒状本体１は、流水部50の上方位置、具体的には、流水部50を構成する左右の側壁部50ｂの上端部間に架設状態に設けられている。
【００２５】
また、この筒状本体１内の一端部には風車部２が設けられている。
【００２６】
この風車部２は、図１〜３に図示したように風車回転軸２ａに複数の風車羽根部材２ｂを放射状に設け、この風車部２の周囲にダクト２ｃ（筒状部材）を設けたものであり、このダクト２ｃ内を通過する風を受けて風車部２は回転する。
【００２７】
尚、風車部２は本実施例で採用した構造に限られるものではない。
【００２８】
本実施例では、この風車部２は筒状本体１の天板部１ｃの上面に設置される発電部３と図示省略の回転力伝達機構を介して連設されており、この風車部２が筒状本体１内の風を受けて回転することで発電部３が発電するように構成されている。
【００２９】
また、筒状本体１内にして風車部２の対向位置には設置用基体11が設けられ、この設置用基体11に設けられた左右の軸受部12には筒状の回転軸部13が回転自在に設けられており、この回転軸部13の左右位置には一対のアーム部材６ａが突設されて可動アーム部６が設けられている。尚、回転軸部13は内部に後述する回転力伝達機構８の第二回転軸17を配設し得るように筒状に設けられている。
【００３０】
この可動アーム部６の下端部には後述する水車部４が設けられ、この水車部４の上下方向への移動に伴い可動アーム部６は上下方向に回転するように構成されている。
【００３１】
水車部４は、図１〜３に図示したように可動アーム部６の下端部に回動自在に設けられる水車回転軸４ａと、この水車回転軸４ａの中央径大部４ａ’の周囲に放射状に突設される複数の水車羽根部材４ｂとで構成されている。
【００３２】
この水車回転軸４ａの中央径大部４ａ’は水に浮く中空構造であり、よって、水車部４は、流水部50の流水に浮いた状態で回転する浮力回転体として構成されている。
【００３３】
また、水車部４の水車回転軸４ａは、回転力伝達機構８を介して後述する送風部５の送風回転軸５ａに連設されている。
【００３４】
この回転力伝達機構８は、図１〜３に図示したように水車部４の水車回転軸４ａと、この水車回転軸４ａとべベルギア構造14を介して連設され可動アーム部６の側方に設けられる第一回転軸15と、この第一回転軸15とべベルギア構造16を介して連設され回転軸部13内に配される第二回転軸17と、この第二回転軸17とプーリー18ａ及びベルト18ｂを介して連設される第三回転軸19とで構成され、この第三回転軸19は図示省略のべベルギア構造を介して送風部５の送風回転軸５ａに連設される。
【００３５】
従って、この回転力伝達機構８を介して水車部４の回転力は送風部５に伝達され、よって、水車部４の回転力を駆動力として送風部５が回転して風が発生する。
【００３６】
送風部５は、図１〜３に図示したように設置用基体11に回転自在に設けた送風回転軸５ａの周囲に複数の送風羽根部材５ｂを放射状に設けたものであり、風車部２の対向位置に設けられている。
【００３７】
この送風部５には、前述したように水車部４の回転力が回転力伝達機構８を介して伝達されることになり、よって、送風部５は流水を利用して回転する。
【００３８】
本実施例は上述のように構成したから、流水部50の流水を受けて水車部４が回転し、この水車部４の回転力を駆動力として送風部５から風が発生する。この際、流水部50の水位が変わっても可動アーム部６が上下に可動して確実に水車部４は流水を受けて回転する。
【００３９】
この送風部５から送られる風を受けて風車部２が回転し、この風車部２が回転することにより発電部３で発電される。
【００４０】
よって、本実施例によれば、流水を利用して筒状本体１内に風を発生させて安定的に発電することができる。
【００４１】
また、本実施例は、水車部４は、筒状本体１に設けられた可動アーム部６の下端部に設けられ流水部50の流水に浮いて回転する構成であるから、流水部50の水位に対応して水車部４は確実に回転する。
【００４２】
また、本実施例は、流水部50は、底部50ａの左右に側壁部50ｂを設けたＵ字溝構造であり、筒状本体１は流水部50の側壁部50ｂ間にして該側壁部50ｂの上方位置に設けられるから、流水部50の上方空間を有効に利用した構造となる。
【００４３】
また、本実施例は、水車部４は、水車回転軸４ａに水車羽根部材４ｂが設けられ、送風部５は、送風回転軸５ａに送風羽根部材５ｂが設けられたものであり、この送風部５の送風回転軸５ａは、水車部４の水車回転軸４ａと回転力伝達機構８を介して連設されているから、水車部４の回転力を確実に送風部５に伝達することができる。
【００４４】
尚、本考案は、本実施例に限られるものではなく、各構成要件の具体的構成は適宜設計し得るものである。
【符号の説明】
【００４５】
１  筒状本体
２  風車部
２ａ  風車回転軸
２ｂ  風車羽根部材
３  発電部
４  水車部
４ａ  水車回転軸
４ｂ  水車羽根部材
５  送風部
５ａ  送風回転軸
５ｂ  送風羽根部材
６  可動アーム部
８  回転力伝達機構
50  流水部
50ａ  底部
50ｂ  側壁部
【図１】
0003199218.tif 000003
【図２】
0003199218.tif 000004
【図３】
0003199218.tif 000005